(57)【特許請求の範囲】
【請求項１】
積層された商品の最上層の商品の上方の所定位置に配設される表示部と前記表示部に対して間接的又は直接的に連結された支持部とを備える表示構造において、
外力が作用すると前記表示構造は変形し前記表示部の配設位置が変化しうるが、その除荷後、前記表示部が前記所定位置に復帰自在であり、
前記積層された商品が底部と前記底部の周縁から立ち上がる側壁部とを有するカップ状容器であり、前記表示部と前記支持部とが腕部を介して間接的に連結され、前記腕部が前記側壁部の外側面、上面、及び内側面に沿って延び、前記表示部が最上層の商品の底部の上方の所定位置に配設されることを特徴とする、表示構造。
【請求項２】
前記支持部が、前記積層された商品の下に敷かれる台板であることを特徴とする、請求項１に記載の表示構造。
【請求項３】
前記支持部が、前記積層された商品の最下層の商品であることを特徴とする、請求項１に記載の表示構造。
【請求項４】
前記積層された商品を収容するパッケージであって、請求項１乃至３の何れか１項に記載の表示構造を備えることを特徴とする、パッケージ。
【請求項５】
前記支持部が、前記積層された商品を収容するパッケージであることを特徴とする、請求項１に記載の表示構造。
【発明の詳細な説明】
【技術分野】
【０００１】
本発明は、表示構造に関し、より詳細には、積層された商品に使用され商品の取扱説明、広告等を表示するための表示構造に関する。
【背景技術】
【０００２】
積層された商品に商品の取扱説明、広告等を表示する場合、（１）パッケージの蓋部に取扱説明等を印字する方法、（２）取扱説明等が印字された紙等を商品の上面に配する方法がある。
【発明の概要】
【発明が解決しようとする課題】
【０００３】
しかしながら、上記（１）の方法について、商品をパッケージから常時取り出して商品を使用する場合や使用者が蓋部を廃棄する場合、取扱説明等の表示が使用者の目に触れないという問題がある。また、上記（２）の方法について、使用者が取扱説明等を印字した紙等を廃棄する場合、上述した問題と同様の問題がある。
【課題を解決するための手段】
【０００４】
本発明に係る表示構造は、積層された商品の最上層の商品の上方の所定位置に配設される表示部と前記表示部に対して間接的又は直接的に連結された支持部とを備え、外力が作用すると前記表示構造は変形し前記表示部の配設位置が変化しうるが、その除荷後、前記表示部が前記所定位置に復帰自在であることを特徴とする。
【０００５】
好ましくは、前記支持部が、前記積層された商品の下に敷かれる台板であることを特徴とする。
また好ましくは、前記積層された商品が底部と前記底部の周縁から立ち上がる側壁部とを有するカップ状容器であり、前記表示部と前記支持部とが腕部を介して間接的に連結され、前記腕部が前記側壁部の外側面、上面、及び内側面に沿って延び、前記表示部が最上層の商品の底部の上方の所定位置に配設されることを特徴とする。
【０００６】
また好ましくは、前記支持部が、前記積層された商品の最下層の商品であることを特徴とする。
また好ましくは、前記積層された商品を収容するパッケージであって、上述した表示構造を備えることを特徴とする、パッケージ。
【０００７】
また好ましくは、前記支持部が、前記積層された商品を収容するパッケージであることを特徴とする。
【発明の効果】
【０００８】
外力が作用すると前記表示構造は変形し前記表示部の配設位置が変化しうるが、その除荷後、前記表示部が前記所定位置に復帰自在であるため、使用者が積層された商品を使用する（取り出す）際、使用者に対して取扱説明、広告、注意表記等を効果的に訴求することができる。
【図面の簡単な説明】
【０００９】
【図１】本発明に係る一の実施例の表示構造を示した斜視図である。
【図２】積層された商品に使用された図１中の表示構造を示した斜視図である。
【図３】本発明に係る他の実施例の表示構造を示した斜視図である。
【図４】本発明に係る更に他の実施例の表示構造を示した斜視図である。
【実施例】
【００１０】
［実施例１］
図１中、表示構造１は、表示部２と表示部２に対して腕部４を介して間接的に連結する支持部として機能する台板（台紙）３とを備える。なお、表示部２は、台板３に対して腕部４を介さずに直接的に連結してもよい。また、表示構造１の構成要素である表示部２、台板３、及び腕部４は、一体の紙材料から形成されているが、勿論、上記各構成要素は別体でもよい。表示構造１の少なくとも一部分は、可撓性を有するとともに、変形した状態からもとの状態に概ね復帰する弾性を有する。表示構造１は、可撓性及び弾性を有するポリプロピレン、ポリエチレン、ポリスチレン、ポリエチレンテレフタレート、ポリ塩化ビニルなどの樹脂等の他の材料から形成されてもよい。表示部２の表面２ａには、表示構造１が使用される商品の取扱説明、広告、注意表記等が表示される。台板３は、略矩形の底部３ａとその周縁から立ち上がる４つの側壁部３ｂを備える。腕部４は、本体４ａを備え、本体４ａの一端部４ｂが台板３の側壁部３ｂの１つと接続し、一端部４ｂとは反対の他端部４ｃが表示部２の一端部２ｂと接続する。腕部４は、上記側壁部３ｂの１つの略延長線上に立ち上がり、各線４ｄ，４ｅに沿って折曲する。
【００１１】
図２中、積層された商品としてのカップ状容器５は、複数のカップ状容器が積層されてなり、最上層のカップ状容器６及び最下層のカップ状容器７を有する。積層されたカップ状容器５は、台板３の底部３ａの上に置かれる。最上層のカップ状容器６は、略矩形の底部６ａと底部６ａの周縁から立ち上がり外側面６ｃ、上面６ｄ、及び内側面６ｅを有する４つの側壁部６ｂとを有する。積層されたカップ状容器５のその他の各カップ状容器も同様である。表示構造１の腕部４は、積層されたカップ状容器５の最下層のカップ状容器７の側壁部７ｂの外側面７ｃ、最上層のカップ状容器６の上面６ｄ、及び同内側面６ｅに沿って延びる。表示部２は、表面２ａに表示された商品の取扱説明、広告等が使用者の目にとまるように、最上層のカップ状容器６の底部６ａの上方の所定位置に配設される。なお、所定のパッケージ（図示せず）内に積層された台板３及び台板３の上に置かれたカップ状容器５が収容されることにより、表示構造１を備えるパッケージの形態をとることもできる。
なお、表示構造１が使用される積層された商品は、カップ状容器に限られず積層可能な商品であればよいことはいうまでもない。
【００１２】
［実施例１の使用態様］
使用者は、最上層のカップ状容器６から順次取り出して使用する。その際、カップ状容器６が接触するなどして表示構造１に対して外力が作用すると、腕部４の本体４ａ、折曲線４ｄ，４ｅに対応する部分等が撓んで表示構造１が変形し表示部２の配設位置が変化する。しかしながら、表示構造１は、その除荷後、変形した状態からもとの状態に概ね復帰し、表示部２は、上記所定位置に概ね復帰することが可能である。
【００１３】
［実施例２］
本実施例２が上述した実施例１と異なる点は、支持部が、積層された商品の最下層の商品である点である。
【００１４】
図３中、積層されたカップ状容器の最下層に配設されるカップ状容器７’は、上述した最下層のカップ状容器７と大略同様の構成を備えるため、カップ状容器７の構成に対応するカップ状容器７’の構成には、カップ状容器７の構成に付された参照番号に「’」を付して、その説明を省略する。表示構造１’についても同様に、表示構造１の構成に対応する表示構造１’の構成には、表示構造１の構成に付された参照番号に「’」を付して、その説明を省略する。
【００１５】
カップ状容器７’の構成がカップ状容器７の構成と異なる点は、カップ状容器７’が表示構造１’の支持部として機能する点である。すなわち、腕部４’の本体４ａ’の一端部４ｂ’は、カップ状容器７’の側壁部７ｂ’の所定箇所（例えば、上面７ｃ’）に接続する。その接続線に沿って、ミシン目４ｆ’が形成されてもよい。これによって、最下層のカップ状容器７’を使用する際、支持部としてのカップ状容器７’と、腕部４ａ’及び表示部２’とを容易に切り離すことができる。カップ状容器が積層される際、表示部２’は、表面２ａ’に表示された商品の取扱説明、広告等が使用者の目にとまるように、最上層のカップ状容器６’（図示せず）の底部６ａの上方の所定位置に配設される。なお、所定のパッケージ（図示せず）内に積層されたカップ状容器５’が収容されることにより、表示構造１’を備えるパッケージの形態をとることもできる。
【００１６】
なお、表示構造１’が使用される積層された商品は、カップ状容器に限られず積層可能な商品であればよいことはいうまでもない。当然、表示構造１’の支持部として機能する商品は、カップ状容器に限定されない。表示構造１’の使用態様は、上述した表示構造１の使用態様と大略同様であるので、その説明を省略する。
【００１７】
［実施例３］
本実施例３が上述した実施例１と異なる点は、支持部が、積層された商品を収容するパッケージ（包装用容器）である点である。表示構造１”は、上述した表示構造１と大略同様の構成を備えるため、表示構造１の構成に対応する表示構造１”の構成には、表示構造１の構成に付された参照番号に「”」を付して、その説明を省略する。
【００１８】
図４中、パッケージ８は、略矩形の底部８ａと底部８ａの周縁から立ち上がり内側面８ｃを有する４つの側壁部８ｂとを有する。なお、パッケージ８は、蓋部（図示せず）を有してもよいし、有さなくてもよい。表示構造１”の腕部４”の一端部４ｂ”は１つの側壁部８ｂの内側面８ｃと接続し、他端部４ｃ”は表示部２”の一端部２ｂ”と接続する。腕部４は、線４ｅ”に沿って折曲する。表示部２”は、表面２ａ”に表示された商品の取扱説明、広告等が使用者の目にとまるように、最上層のカップ状容器６”（図示せず）の底部６ａ”の上方の所定位置に配設される。換言すれば、パッケージ８は、表示構造１”を備える。
【００１９】
なお、表示構造１”が使用される積層された商品は、カップ状容器に限られず積層可能な商品であればよいことはいうまでもない。表示構造１”の使用態様は、上述した表示構造１の使用態様と大略同様であるので、その説明を省略する。
【符号の説明】
【００２０】
１，１’，１”      表示構造
２                表示部
３                台板（台紙）
４                腕部
５                積層されたカップ状容器
６                最上層のカップ状容器
７                最下層のカップ状容器
８                パッケージ
【図１】
0005431236.tif 000002
【図２】
0005431236.tif 000003
【図３】
0005431236.tif 000004
【図４】
0005431236.tif 000005